(57)【特許請求の範囲】
【請求項１】
複数のアンテナを有する受信器で受信信号の復号を試みるステップであって、前記受信信号は、無線デバイス送信および少なくとも１つの干渉する送信からのシグナリングを含む、ステップと、
前記受信信号の復号の試みに成功しない場合に、受信器が各アンテナの前記干渉する送信に対応する復号されたシグナリングを要求するステップと、
前記受信器で前記受信信号を復号するために前記復号されたシグナリングを使用するステップと
を含み、前記復号されたシグナリングを要求するステップが
前記少なくとも１つの干渉する送信に対応する潜在的干渉源の、最強から最弱までの順序を判定するステップと、
まず最強の潜在的干渉源にサービスするセル／セクタに関連する機器に復号されたシグナリングを要求するステップと
を含む方法。
【請求項２】
復号されたシグナリングを要求するステップは、
潜在的に干渉するセル／セクタの集合からの少なくとも１つのセル／セクタに関連する機器に復号されたシグナリングを要求するステップ
を含む、請求項１に記載の方法。
【請求項３】
復号されたシグナリングを要求するステップは、
前記少なくとも１つの干渉する送信に対応する無線デバイスにサービスし、かつ前記受信器で少なくともしきい受信信号強度を有するセル／セクタに関連する機器に、復号されたシグナリングを要求するステップ
を含む、請求項１に記載の方法。
【請求項４】
復号されたシグナリングを要求するステップは、
それについて復号されたシグナリングが要求される少なくとも１つのスロット内の少なくとも１つのリソース・ブロックを識別するメッセージを宛先セル／セクタ機器に送信するステップであって、前記メッセージは、スロットを示すスロット・インデックス・フィールドと、前記スロット内のリソース・ブロックごとに１ビットを有するビットマップ・フィールドとを含み、リソース・ブロックごとの前記ビットの値は、復号されたシグナリングがそのリソース・ブロックについて要求されるのかそのリソース・ブロックについて要求されないのかを示す、ステップ
を含む、請求項１に記載の方法。
【請求項５】
前記受信器で、要求する前記ステップに応答して、前記少なくとも１つの干渉する送信に対応する他のセル／セクタ機器から復号されたシグナリングを受信するステップをさらに含み、
復号されたシグナリングを受信するステップは、前記受信器で、要求する前記ステップに応答して、前記少なくとも１つの干渉する送信に対応する複数の他のセル／セクタ機器から復号されたシグナリングを受信するステップを含み、
前記受信器で前記受信信号を復号するために前記復号されたシグナリングを使用するステップは、前記受信器で前記受信信号を復号するために前記複数の他のセル／セクタ機器からの前記復号されたシグナリングを使用するステップを含む
請求項１に記載の方法。
【請求項６】
プロセッサによって実行される時に請求項１に記載の前記方法の前記ステップを実行する１つまたは複数のソフトウェア・プログラムを格納するプロセッサ可読記憶媒体。
【請求項７】
通信システムの複数のアンテナを有する受信ノードであって、前記受信ノードは、前記システムの他のノードと通信するように構成され、前記受信ノードは、無線デバイス送信および少なくとも１つの干渉する送信からのシグナリングを含む受信信号を受信器で復号することを試み、前記受信信号を復号する試みに成功しない場合に受信器が前記干渉する送信に対応する復号されたシグナリングを要求し、前記受信器で前記受信信号を復号するために前記復号されたシグナリングを使用するように動作可能であり、前記復号されたシグナリングを要求する動作が、前記少なくとも１つの干渉する送信に対応する潜在的干渉源の、最強から最弱までの順序を判定し、
まず最強の潜在的干渉源にサービスするセル／セクタに関連する機器に復号されたシグナリングを要求する動作を含む、受信ノード。
【請求項８】
復号されたシグナリングを要求するように動作可能であることは、
潜在的に干渉するセル／セクタの集合からの少なくとも１つのセル／セクタに関連する機器に復号されたシグナリングを要求するように動作可能であること
を含む、請求項７に記載の受信ノード。
【請求項９】
復号されたシグナリングを要求するように動作可能であることは、
前記少なくとも１つの干渉する送信に対応する無線デバイスにサービスし、かつ前記受信器で少なくともしきい受信信号強度を有するセル／セクタに関連する機器に、復号されたシグナリングを要求するように動作可能であること
を含む、請求項７に記載の受信ノード。
【発明の詳細な説明】
【技術分野】
【０００１】
本発明は、一般に通信に関し、具体的には通信システム内の干渉除去に関する。
【背景技術】
【０００２】
このセクションは、本発明のよりよい理解を容易にするのを助ける可能性がある態様を紹介する。したがって、このセクションの陳述は、これを考慮して解釈されなければならず、従来技術であるものまたは従来技術ではないものに関する容認と理解されてはならない。
【０００３】
複数の基地局を含むセルラ・ネットワーク内のアップリンク送信（逆方向リンク送信とも称する）は、しばしば、セル外送信からの過度な干渉で損害を受ける。そのようなネットワークでは、通常、異なる基地局と通信する移動局（単にモバイルとも称する）は、それぞれの基地局によって独立に送信についてスケジューリングされる。我々は、移動局が通信している基地局を、その移動局の主基地局と称する。移動局が主基地局以外の基地局に適度に近い時には、その移動局は、これらの基地局の受信器でかなりの干渉を引き起こす可能性が高い。（干渉する）モバイルの送信は、主基地局以外の基地局の受信器で復号可能ではない可能性があり、これは、これらの受信器が、そのモバイルによって引き起こされる干渉を除去するローカル手順を使用できないことを意味する。しかし、移動局の主基地局が移動局の送信を復号できる場合には、主基地局は、復号された情報ビットをある追加情報と一緒に、かなりの干渉を引き起こした可能性が高い基地局に送信することができる。その後、これらの基地局は、（干渉する）移動局から受信された信号の推定値を生成し、それぞれの集約受信信号からこの推定値を除去し、したがって集約受信信号の復号可能性を改善することができる。
【先行技術文献】
【特許文献】
【０００４】
【特許文献１】米国特許出願第１２／２３２３０３号
【発明の概要】
【発明が解決しようとする課題】
【０００５】
これは、本質的に、「逐次干渉除去（ｓｕｃｃｅｓｓｉｖｅ  ｉｎｔｅｒｆｅｒｅｎｃｅ  ｃａｎｃｅｌｌａｔｉｏｎ）」で用いられるものであり、逐次干渉除去は、後で「［１］」として参照され、参照によって本明細書に組み込まれている、２００８年９月１５日出願の米国特許出願第１２／２３２３０３号、名称「Ｄｉｓｔｒｉｂｕｔｅｄ  Ｕｐｌｉｎｋ  Ｍｕｌｔｉ−Ｃｅｌｌ  Ｓｕｃｃｅｓｓｉｖｅ  Ｉｎｔｅｒｆｅｒｅｎｃｅ  Ｃａｎｃｅｌｌａｔｉｏｎ  ｆｏｒ  Ｃｅｌｌｕｌａｒ  Ｎｅｔｗｏｒｋｓ」、発明人Ｋ．Ｂａｌａｃｈａｎｄｒａｎ、Ｓ．Ｒ．Ｋａｄａｂａ、およびＫ．Ｋａｒａｋａｙａｌｉで提示される。［１］で提示されるさまざまな実施形態の一態様は、セルラ・ネットワークを構成する基地局に既知の、これらの基地局が従う「大域復号順序（ｇｌｏｂａｌ  ｄｅｃｏｄｉｎｇ  ｏｒｄｅｒ）」があるという仮定である。この大域復号順序は、より高品質の受信信号を有する基地局がそのそれぞれの受信信号を最初に復号することを可能にし、その結果、それらの基地局が、干渉除去のために他の基地局に復号された信号を送信できるようにする。しかし、そのような大域復号壽所は、しばしば、穏当なサイズのセルラ・ネットワークであっても使用可能ではない。したがって、逐次干渉除去の利益の一部をより大きいネットワークに提供できる手法が望ましい。
【課題を解決するための手段】
【０００６】
既知のネットワーク干渉除去技法に対する改善を提供する必要に対処するために、方法および装置を提供する。１つの方法では、受信器は、無線デバイス送信および少なくとも１つの干渉する送信からのシグナリングを含む受信信号の復号を試みる。受信器が受信信号の復号の試みに成功しない場合に、干渉する送信に対応する復号されたシグナリングを要求する。その後、受信器は、受信信号を復号するために復号されたシグナリングを使用する。プロセッサによって実行される時にこの方法のステップを実行する１つまたは複数のソフトウェア・プログラムを格納するプロセッサ可読記憶媒体を含む製造品も提供される。さらに、通信システムの受信ノードが提供される。この受信ノードは、システムの他のノードと通信するように構成され、やはりこの方法を実行するように動作可能である。
【０００７】
上の方法が変更される、多数の実施形態が提供される。いくつかの実施形態では、復号されたシグナリングを要求することは、潜在的に干渉するセル／セクタの集合からの少なくとも１つのセル／セクタに関連する機器に復号されたシグナリングを要求することを含む。いくつかの実施形態では、復号されたシグナリングを要求することは、少なくとも１つの干渉する送信に対応する無線デバイスにサービスし（ｓｅｒｖｅ）、かつ受信器で少なくともしきい受信信号強度を有するセル／セクタに関連する機器に、復号されたシグナリングを要求することを含む。
【０００８】
いくつかの実施形態では、復号されたシグナリングを要求することは、それについて復号されたシグナリングが要求される少なくとも１つのスロット内の少なくとも１つのリソース・ブロックを識別するメッセージを宛先セル／セクタ機器に送信することを含む。このメッセージは、スロットを示すスロット・インデックス・フィールドと、スロット内のリソース・ブロックごとに１ビットを有するビットマップ・フィールドとを含むことができ、リソース・ブロックごとのビットの値は、復号されたシグナリングがそのリソース・ブロックについて要求されるのかそのリソース・ブロックについて要求されないのかを示すことができる。
【０００９】
いくつかの実施形態では、この方法は、受信器で、要求することに応答して、少なくとも１つの干渉する送信に対応する他のセル／セクタ機器から復号されたシグナリングを受信することをさらに含む。ここで、復号されたシグナリングを受信することは、受信器で、要求することに応答して、少なくとも１つの干渉する送信に対応する複数の他のセル／セクタ機器から復号されたシグナリングを受信することを含むことができ、受信器で受信信号を復号するために復号されたシグナリングを使用することは、受信器で受信信号を復号するために複数の他のセル／セクタ機器からの復号されたシグナリングを使用することを含むことができる。
【００１０】
いくつかの実施形態では、復号されたシグナリングを要求することは、少なくとも１つの干渉する送信に対応する潜在的干渉源（ｉｎｔｅｒｆｅｒｅｒ）の、最強から最弱までの順序を判定することと、まず最強の潜在的干渉源にサービスするセル／セクタに関連する機器に復号されたシグナリングを要求することとを含む。
【図面の簡単な説明】
【００１１】
【図１】単純化された２セル・ネットワークのマルチセル干渉除去の例を示す図である。
【図２】例のセルラ・ネットワークを示す図である。
【図３】ＯＦＤＭＡシステムおよびＳＣ−ＦＤＭＡシステムでのアップリンク（またはダウンリンク）通信用の送信リソースの編成を示す図である。
【図４】本発明のさまざまな実施形態による例のリソース・ブロック割当を示す図である。
【図５】本発明のさまざまな実施形態による要求メッセージのハンドリングを示す図である。
【図６】本発明のさまざまな実施形態による干渉除去の使用を示す図である。
【図７】本発明のさまざまな実施形態による基地局受信器を示すブロック図である。
【図８】本発明のさまざまな実施形態に従って実行される機能性を示す論理流れ図である。
【発明を実施するための形態】
【００１２】
本発明の特定の実施形態を、図１〜８を参照して下で開示する。説明と図示との両方が、理解の質を高めるために起草された。たとえば、図の要素のいくつかの寸法が、他の要素に対して相対的に誇張されている場合があり、商業的に成功する実施態様に有益または必要な周知の要素が、実施形態のより妨げられずより明瞭な提示を達成できるようにするために図示されていない場合がある。さらに、上の論理流れ図は、特定の順序で実行される特定のステップを参照して説明され、図示されるが、特許請求の範囲の範囲から逸脱せずに、これらのステップのいくつかを省略することができ、あるいは、これらのステップのいくつかを組み合わせ、副分割し、または並べ替えることができる。したがって、特に示されない限り、ステップの順序およびグループ化は、特許請求の範囲の範囲に含まれる可能性がある他の実施形態の限定ではない。
【００１３】
当業者に既に知られているものを考慮して当業者が本発明を作り、使用し、最もよく実践することを効果的に可能にするために、図示と説明との両方での単純さおよび明瞭さが求められる。当業者は、本発明の趣旨および範囲から逸脱せずに、下で説明される特定の実施形態に対してさまざまな修正および変更を行えることを了解するであろう。したがって、本明細書および図面は、制限的またはすべてを包含するものではなく、実例となり例示的であるものとみなされなければならず、下で説明される特定の実施形態に対するすべてのそのような変更が本発明の範囲に含まれることが、意図されている。
【００１４】
本発明の実施形態によって対処される問題の結び付いた組は、干渉除去に関する全体的な方式の効率に関する。潜在的に干渉除去に使用できる復号された情報ビットをある基地局から別の基地局に送信することは、バックホール・リンクによって搬送される負荷を増やす。バックホール・リンクの容量は、全体的なシステム設計における重要な考慮事項なので、復号された情報ビットを、それらが干渉除去に有用である可能性が高い基地局だけに送信することによって、これらのリンクに対する負荷が最小限に保たれることを保証することが不可避である。
【００１５】
そのために、ある基地局で復号された情報ビットを干渉除去のために別の基地局に送信しなければならない時を判定する方法およびプロトコルを組み込んだ実施形態を、本明細書で提示する。これらの方法およびプロトコルを、基地局がその受信信号を処理し始めることができる時に関して基地局に指示する大域復号順序に頼らずに、基地局がその基地局のアクションを独立に実行するネットワーク干渉除去の真に分散された方式を可能にする、分散された形で実施することができる。
【００１６】
本発明を、図１〜８を参照して、より十分に理解することができる。本発明のさまざまな態様を作り、使用することのより高い度合の詳細を提供するために、ネットワーク干渉除去に対する我々の手法の説明と、ある非常に特定の実施形態の説明とが、例のためにこれに続く。
【００１７】
本明細書で説明される実施形態の多くの基礎になる基本的な発想は、次の通りである。各セクタに関連する受信器は、そのセクタ内の移動局によって送信された信号を復号することを独立に（完全に分散された形で）試みる。ここで、受信器は、それに関連するアンテナによって収集された信号サンプルだけを使用する。それと同時に、受信器は、それ自体のセクタ内の移動局ならびに隣接セクタ内の移動局に関連するチャネル係数を推定することを試みる。受信器が、それ自体のセクタ内の移動局によって送信された信号の復号に成功する場合には、受信器は、それらの信号をより上の層に渡し、また、干渉除去について近傍内の受信器を助けるためにそれらの受信器にそれらの信号を送信できることを期待して、しばらくの間それらの信号を保持する。受信器が、それ自体のセクタ内の移動局によって送信された信号の復号に成功しない場合には、受信器は、それぞれの復号された信号を近傍内の受信器に要求する要求メッセージを近傍内の受信器に送信する。そのような要求は、関連するセクタ内の移動局のチャネル推定値が良い品質を有する場合に限って受信器に送信される（悪い品質のチャネル推定値を使用する干渉除去が、改善された復号可能性につながらないので、そのチャネル推定値が低い信号対雑音比を有する移動局に関連する復号されたデータを要求することには、あまり意味がない）。これは、干渉除去に有用ではない復号されたデータの移動を回避する。本発明のもう１つの実施形態では、復号されたデータをあるセクタから別のセクタに渡すかどうかの判定は、さらに、渡すべき復号されたデータの量に基づく。この形で、ネットワーク干渉除去によって達成される利益と、それをサポートするために要求されるバックホール容量との間の望ましいトレードオフを達成することができる。
【００１８】
隣接する基地局受信器のうちの１つまたは複数から復号されたデータを受信した後に、要求する受信器は、関連するチャネル推定値を使用して、対応する干渉する信号を再構成し、これらの再構成された信号を元の信号から減算して、その信号対干渉雑音比（ＳＩＮＲ）を改善する。結果のサンプルは、標準的な復号手順を介して処理されて、関連するセクタ内の移動局によって送信された信号が抽出される。復号のこのラウンドが成功である場合には、受信器は、前のラウンドと同様に、復号されたデータをより上のプロトコル層に渡し、他の受信器での干渉除去のためにコピーを保存する。そうではない場合には、前のラウンドの終りと同様に、受信器は、隣接する受信器に要求メッセージを送信する。この手順は、信号が成功して復号されるか復号ラウンドの上限に達するかのいずれかになるまで繰り返される。
【００１９】
これが、大域復号順序の存在を必要としない完全に分散された手順であることに留意されたい。したがって、これを、どのサイズのセルラ・ネットワーク内でも簡単に実施することができる。また、復号されたデータの日和見主義的移動に使用される要求ベースのプロトコルのゆえに、この手法は、干渉除去に有用である可能性が低いデータの移動を回避することによって、バックホール・リンクに対する負荷を実質的に減らす。
【００２０】
図１に、基地局ＡおよびＢならびにそのそれぞれの関連するモバイルａおよびｂを含む２セル・ネットワークのマルチセル干渉除去の概念を示す。すなわち、モバイルａは、基地局Ａと通信しつつあるが、モバイルｂは、基地局Ｂと通信しつつある。モバイルａおよびｂがそのそれぞれの信号を同時に送信しつつある時には、モバイルａからの信号は、モバイルｂからの信号と干渉し、悪い信号受信を引き起こし、したがって、基地局Ｂでの移動局ｂのデータの不成功の復号を引き起こす。対照的に、基地局Ａは、移動局ｂからの干渉の存在下であっても、移動局ａの信号を成功して復号することができる（これは、モバイルｂに起因する基地局Ａでの干渉のレベルが、モバイルａからの受信信号レベルとの比較で低い場合に発生する可能性がある）。
【００２１】
基地局Ａが移動局ａのデータ信号を復号した後に、基地局Ａは、復号されたデータ信号をバックホール・リンクを介して基地局Ｂに渡すことができる。基地局Ｂ（除去を実行する基地局）は、移動局ａ（セル外モバイル）からのチャネルを推定し、モバイルａによって引き起こされる干渉の推定値を生成するためにこのチャネル推定値を基地局Ａから受信した復号されたデータ信号（モバイルａからの）と一緒に使用し、その後、移動局ｂに関する改善された信号対雑音比を得るために、その全体的な受信信号からこの干渉を除去する。この改善は、基地局Ａが移動局ａの復号されたデータを基地局Ｂと交換するのに必要な追加のバックホール・オーバーヘッドを犠牲にして達成される。
【００２２】
マルチセル・ネットワーク内で成功の逐次干渉除去（ＳＩＣ）を実施するために、［１］の説明による例の実施形態を、下で提供する。
１．まず、除去について検討されなければならない複数のセル／セクタをカバーするデータ信号（すなわち、複数の基地局受信器で受信されたデータ信号）の集合を識別する。言い替えると、復号されたデータ信号を交換することによってＳＩＣに参加する基地局の集合を識別する。
２．データ信号の集合（ステップ１で識別された）のうちで、マルチセルＳＩＣから利益を得る可能性がある部分集合を識別する（すべての信号がＳＩＣから利益を得るわけではない。たとえば、モバイルがその基地局に近く、その結果、その信号を基地局受信器によって簡単に復号でき、その信号が他の基地局で強い干渉を引き起こさない場合には、マルチセルＳＩＣに関してその信号を含めることにはあまり意味がない）。
３．第１から第Ｎまで、データ信号の部分集合（ステップ２で識別された）を順序付ける。ここで、Ｎは、部分集合に含まれるデータ信号の個数を表す。最初に順序付けられるデータ信号は、最良のチャネル条件を有するものとすることができ、第Ｎデータ信号は、最悪のチャネル条件を有するものとすることができる。
４．第１に順序付けられたデータ信号を対応する受信器で復号する。
５．復号された第１データ信号に基づいて、第２から第Ｎまでの残りの未復号データ信号のそれぞれから干渉を除去する。
残りの未復号の順序付けられたデータ信号に関する復号ステップおよび除去ステップを、その後、第Ｎデータ信号が復号されるまで繰り返すことができる。大域復号順序の存在は、上のステップ３で実施される。前に注記したように、そのような大域復号順序は、非効率的（それに伴う復号遅延のゆえに）または適度なサイズのネットワークであっても実施が非実用的のいずれかである可能性がある。
【００２３】
複数の基地局および移動局を含む、図２に示されたものなどのセルラ・ネットワークを検討されたい。さまざまな実施形態の背後にあるより関係する発想のいくつかをより明瞭に説明するために、我々は、無指向性アンテナを有する基地局を仮定する（当業者は、本発明が、基地局がセクタ化されたアンテナを有する事例にどのように自然に拡張されるのかを即座に理解することができる。具体的には、本発明を、基地局の各アンテナ・セクタを別々の基地局として扱うことによってマルチセクタの事例に適用することができる）。基地局のカバレージ・エリアを、セルと称する（混乱の可能性がない時には、我々は、用語「基地局」および「セル」を交換可能に使用する。というのは、これらの間に１対１対応があるからである）。各基地局は、受信器デバイスを備え、この受信器デバイスでは、その基地局に関連するすべての移動局からのアップリンク送信が復号される。ユーザｊに関連する基地局（すなわち、その受信器デバイスがそのユーザの送信の復号を試みる基地局）は、そのユーザの主基地局と呼ばれ、Ｐ（ｊ）によって表される。図７は、本発明の複数の実施形態による基地局受信器のブロック図である。図７００のコンポーネントを、さまざまな実施形態のより詳細な説明を提供するために、これに続く説明全体を通じて参照する。
【００２４】
図２を見ると、モバイル端末ａ１、ａ２がその主基地局として基地局Ａを有し、モバイル端末ｂ１がその主基地局として基地局Ｂを有することなどがわかる。その代わりに、我々は、モバイル端末ａ１、ａ２が基地局Ａに接続され、移動局ｂ１が基地局Ｂに接続されるなどと言う。端末とそのそれぞれの主基地局との間のリンクは、実線によって表され、破線は、干渉リンクを表す。すなわち、ある移動局によって送信された信号が、ある基地局（その主基地局以外）で強い干渉を引き起こすのに十分に高いレベルで受信される場合に、その移動局は、その基地局に破線で接続されて図示される。
【００２５】
我々は、アップリンク送信が直交周波数分割多元接続（ＯＦＤＭＡ）伝送技術または単一キャリア周波数分割多元接続（Ｓｉｎｇｌｅ  Ｃａｒｒｉｅｒ−Ｆｒｅｑｕｅｎｃｙ  Ｄｏｍａｉｎ  Ｍｕｌｔｉｐｌｅ  Ａｃｃｅｓｓ）（ＳＣ−ＦＤＭＡ）伝送技術を使用すると仮定する。これらの技術は、通常、システムに参加する異なるデバイスから発する送信の間の少なくともゆるい同期を有するスロット化伝送（ｓｌｏｔｔｅｄ  ｔｒａｎｓｍｉｓｓｉｏｎ）を使用する。一般性を失わずに、本明細書で説明される方法および装置は、伝送の代替の方法を使用することができる。アップリンク送信に使用可能なスペクトルは、複数の副搬送波またはトーンに分割される。
【００２６】
図３に、送信リソースがＯＦＤＭＡシステムおよびＳＣ−ＦＤＭＡシステムでのアップリンク（またはダウンリンク）通信用にどのように編成されるのかを示す。図３００に示されているように、時間はスロット（文献ではフレーム、サブフレームなどとも称する）に分割される。各スロットは、ＮＳ個のシンボル持続時間を含む。周波数次元に沿って、使用可能なスペクトルは、ＮＴ個のトーンまたは副搬送波を含む。ＮＴ個のトーンは、ＮＲ個のグループに分割され、各グループは、Ｍ（＝ＮＴ／ＮＲ）個のトーンを含む。あるグループに属するＭ個のトーンからなるリソース・ブロックが、１スロット内のＮＳ個のシンボル持続時間にわたって繰り返される（したがって、１つのリソース・ブロックは、Ｍ×ＮＳ個の変調シンボルを含む）。送信リソース割当の基本単位は、リソース・ブロックである。１つのスロットに関連するＮＲ個のリソース・ブロックがあることが、簡単にわかる。
【００２７】
基地局は、スロットのアップリンク送信をスケジューリングする時に、そのスロットを介する送信のためにそれに接続された１つまたは複数の移動局を選択し、その後、それらの移動局のそれぞれに１つまたは複数のリソース・ブロック（そのスロットに関連する）を割り当てる。たとえば、図４の図４００に示されているように、スロット１では、基地局Ａが、リソース・ブロック１および２を移動局ａ１に、リソース・ブロック４を移動局ａ２に割り当てている（リソース・ブロック３、５、および６は、スロット１中には未使用のままにされている）。スロット２では、移動局ａ２が、リソース・ブロック１〜３を割り当てられ、リソース・ブロック４が、移動局ａ１に割り当てられるなどである。各基地局は、所与のスロットのアップリンク送信のスケジュールを十分に前もって準備し、その後、適当なダウンリンク制御チャネルを介して、対応する送信許可（ｔｒａｎｓｍｉｓｓｉｏｎ  ｇｒａｎｔ）を（使用される変調および符号化方式（ＭＣＳ）と一緒に）接続された移動局に送信する。ＳＣ−ＦＤＭＡシステムでは、１スロット中に同一の移動局に割り当てられるリソース・ブロック内のトーンならびにリソース・ブロックが、連続でなければならないことに留意されたい。ＯＦＤＭＡシステムには、そのような制限がない。
【００２８】
主基地局から受信された送信許可（所与のスロットの）に基づいて、移動局は、そのアップリンク信号を次のように送信する。送信許可内で示されるＭＣＳに基づいて、移動局は、情報ビットの適当なサイズのチャンクを選択し、これに巡回冗長検査（ＣＲＣ）ビットを追加する。その後、移動局は、送信許可内で示されたコーディング方式を使用して、ＣＲＣビットを有する情報ビットを符号化し、結果のコーディングされたシンボルを使用して、それに割り当てられたリソース・ブロック内の変調シンボルを変調する（リソース・ブロック内の変調シンボルが、２つのサブセットすなわちベアラ・シンボルおよび基準シンボルに分割されることに留意されたい。基準シンボルは、パイロット・シンボルとも称するが、既知の信号（通常は、既知のシーケンス内のシンボル）を用いて変調され、チャネル推定値を生成するために基地局受信器によって使用される。ベアラ・シンボルは、上で説明したコーディングされたシンボルによって変調されるシンボルである）。コーディングされたシンボルを、変調シンボルを変調するのに使用される前にインターリーブすることができる。ＯＦＤＭＡシステムでは、（おそらくはインターリーブされた）コーディングされたシンボルが、周波数領域でベアラ・シンボルを直接に変調するのに使用されるが、ＳＣ−ＦＤＭＡシステムでは、離散フーリエ変換（ＤＦＴ）の計算を含む余分な処理ステップが含まれる。最後に、そのスロット内の各シンボル持続時間に、移動局は、結果の信号波形をアップリンク・チャネルを介して送信する前に、そのシンボル持続時間に関連する変調シンボル（コーディングされたシンボルを用いて変調された）の時間領域表現を計算する。
【００２９】
ここで、１スロットの間にセルラ・ネットワーク内のさまざまな基地局受信器で行われるアクションを検討されたい。１スロット内の各シンボル持続時間中に、基地局（すなわち、基地局受信器）は、受信信号波形に対してフィルタリング、サンプリング、および他の処理動作を実行することによってその受信信号波形を処理して、そのシンボル持続時間に関連する各変調シンボルに対応する受信信号サンプルを抽出する。これらの動作は、スロット内で送信された変調シンボルに対応する受信信号サンプルを抽出するために、スロット内の各シンボル期間中に繰り返される。１スロット内のすべてのシンボル持続時間に関連する受信信号サンプルが、そのスロットの受信信号ベクトルを形成するために収集される。複数の受信アンテナを有する基地局の場合に、そのアンテナのそれぞれについて別々の受信信号ベクトルが形成されることに留意されたい。受信信号ベクトルを構成する際に用いられる動作は、当業者に周知である。
【００３０】
本発明に従って基地局受信器によって実行される残りのアクションを説明する前に、我々は、この段階で何が基地局受信器に既知と仮定されるのかを述べる。インデックスｉによって参照されるすべての基地局は、あるスロットに関連する受信信号ベクトル（１つまたは複数）の処理を開始する時に、自由に使える次の情報を有すると仮定される。
１．基地局ｉは、これらのセルからの移動局がしばしば基地局ｉの受信器で強い干渉を引き起こすセルの集合を知っている。この集合を、潜在的に干渉するセルの集合と称し、Ｃ（ｉ）によって表す。どのセルを集合Ｃ（ｉ）に含めなければならないのかは、純粋に地理的な考慮を介してまたは測定値を介して分析的に判定することができる。
２．スロットに関連するリソース・ブロックごとに、基地局ｉは、そのリソース・ブロックを介して送信する、Ｃ（ｉ）に属するセル内の移動局からのチャネルの推定に関係するすべての情報を知っている。たとえば、ＬＴＥでは、基地局は、Ｃ（ｉ）に属するセル内の移動局へのサウンディングまたは基準シンボル・シーケンス割当の知識を必要とする場合がある。基地局ｉがどのようにしてこの情報を獲得するのかは、異なるセル内の移動局にサウンディングまたは基準シンボル・シーケンスを割り当てるのに使用される方法に依存する。本文書の残りについて、基準シンボル・シーケンスは、チャネル推定の基礎を提供すると仮定されるが、当業者が他の情報（たとえば、チャネル・サウンディング）を使用して本明細書で説明される方法を適用することが、明確に理解される。次は、可能なシナリオの部分的なリストである。
ａ．リソース・ブロックに関連する基準シンボル・シーケンスは、セル識別子の静的関数である。すなわち、すべてのスロットで、所与のセル（すなわち、セルに関連する基地局）は、リソース・ブロック１に同一の基準シンボル・シーケンス、リソース・ブロック２に同一の基準シンボル・シーケンス（リソース・ブロック１に関連するものと必ずしも同一ではないが）などを必ず割り当てる。そのようなシナリオでは、基地局ｉの受信器は、Ｃ（ｉ）に含まれるセルによって異なるリソース・ブロックについて使用される基準シンボル・シーケンスを事前に構成することができる。
ｂ．スロット内の異なるリソース・ブロックに関連する基準シンボル・シーケンスは、セル識別子の関数である擬似ランダム・ホッピング・パターンに従う。このシナリオでは、集合Ｃ（ｉ）に含まれるセルによって使用されるホッピング・パターンをローカルに複製することによって、基地局ｉの受信器は、スロット内の異なるリソース・ブロックを介してＣ（ｉ）に属するセル内の移動局によって使用される基準シンボル・シーケンスを判定することができる。
ｃ．スロットを介する送信のためにセル内の移動局によって使用される基準シンボル・シーケンスは、セルの識別子およびスロット・インデックスに依存するだけではなく、そのスロット内のリソース・ブロックがセルによって異なる移動局に割り当てられる形にも依存する（これは、基準シンボル・シーケンスが３ＧＰＰ−ＬＴＥ−Ｒｅｌｅａｓｅ  ８標準規格に従って割り当てられる形に似ている）。たとえば、図４に戻ると、基地局がスロット１内の６つのリソース・ブロックのすべてを同一の移動局に割り当てる場合に、その移動局は、そのスロット内の６つのリソース・ブロックについて１タイプの基準シンボル・シーケンスを使用する。その一方で、５つのリソース・ブロックのうちの最初の３つが、ある移動局に割り当てられ、残りの３つがある他の移動局に割り当てられる場合には、６つのリソース・ブロックの同一の集合を介してこの２つの移動局によって使用される基準シンボル・シーケンスは、第１の事例の基準シンボル・シーケンスとは異なる。リソース・ブロック割当は、通常は、異なる基地局によって独立に実行されるので、基地局ｉが、あるスロット内のリソース・ブロックが集合Ｃ（ｉ）に含まれるセルによって異なる移動局にどのように割り当てられたのかを独力で見つけ出すことは、不可能である。その結果、このシナリオでは、我々は、基地局、たとえばｐが、特定のスロットのアップリンク送信スケジュール（リソース・ブロック割当を含む）を準備する時に、基地局ｐが、潜在的に干渉するセルのそれぞれの集合内に基地局ｐを有するすべての基地局にそのリソース割当マップのコピーを（おそらくは圧縮された形で）送信することを要求する。基地局ｉは、その潜在的に干渉するセルのすべてから所与のスロットのリソース割当マップのコピーを受信した時に、そのスロットの異なるリソース・ブロックについてこれらのセル内の移動局によって使用される基準シンボル・シーケンスを見つけ出すことができる。
【００３１】
スロットの終りに、基地局受信器は、その基地局の受信アンテナごとに受信信号ベクトルを構成し終えている。各受信信号ベクトルは、そのスロット内の変調シンボルごとに１つのエントリすなわちＮＴ×ＮＳ個のエントリを有する。というのは、アップリンク・スペクトルが、ＮＴ個のトーンに分割され、１スロット内にＮＳ個のシンボル持続時間があるからである。
【００３２】
この段階で、基地局受信器は、次を行う。リソース・ブロックｋ（完了したばかりのブロック内の）が、それ自体のセル内で移動局ｊに割り当てられた場合には、基地局受信器は、移動局ｊによって使用された基準シンボルに対応する受信信号サンプルを処理し、リソース・ブロックｋ上の移動局ｊのチャネル係数の推定値（たとえば、チャネル・エスティメータ７１０を参照されたい）を生成する。基地局受信器は、アップリンク送信のためにそれ自体のセル内で移動局に割り当てられた完了したばかりのスロット内のすべてのリソース・ブロックについて、チャネル係数のそのような推定値を生成する。図４に示された例は、ここで意図されているものを明瞭にする。この例では、アップストリーム・スペクトル全体が、６つのリソース・ブロックに分割され、タイム・スロット１中に、リソース・ブロック１および２は、セルＡ内の移動局ａ１に割り当てられ、リソース・ブロック４は、セルＡ内の移動局ａ２に割り当てられている。リソース・ブロック３、５、および６は、そのセル内のどの移動局にも割り当てられていない。この場合に、セルＡに関連する基地局受信器は、スロット１の終りに、リソース・ブロック１および２上の移動局ａ１のチャネル係数の推定値と、リソース・ブロック４上の移動局ａ２のチャネル係数の推定値とを生成する。基地局が、複数の受信アンテナを備える場合には、そのようなチャネル係数を、受信アンテナのそれぞれについて推定する必要がある。リソース・ブロックｋを介して送信する移動局ｊについて基地局ｉによって計算される受信アンテナｑのチャネル係数の推定値を、
【００３３】
【数１】
0005528567.tif 000002
によって表す。チャネル係数推定値
【００３４】
【数２】
0005528567.tif 000003
は、複数の周知の方法のいずれを使用しても入手することができる。１つのそのような方法は、次の通りである。
【００３５】
ｒｊ，ｋ，ｉ，ｑ（ＲＳ）が、完了したばかりのスロット中にリソース・ブロックｋを介して移動局ｊ（セルｉ内の）によって送信された基準シンボルに対応する基地局ｉの受信アンテナｑで受信された信号サンプルの（列）ベクトルを表すものとし、ｓｊ，ｋが、リソース・ブロックｋを介して移動局ｊによって実際に送信された基準シンボルの（列）ベクトルを表すものとする。チャネル推定値を、複数の周知の方法を使用して、基準シンボルに対応する受信信号サンプルのベクトルから入手することができる。１つのそのような実施形態では、所望のチャネル係数推定値
【００３６】
【数３】
0005528567.tif 000004
は、
【００３７】
【数４】
0005528567.tif 000005
によって与えられ、ここで、記号「†」は、その前のベクトルの共役転置を表す。
【００３８】
次に、基地局受信器は、それに接続された移動局によって送信されたコーディング・ブロックのすべてを復号することを試みる。したがって、図４の例を参照すると、スロット１の終りに、基地局Ａは、リソース・ブロック１および２を介して移動局ａ１によって送信されたコーディング・ブロックとリソース・ブロック４を介して移動局ａ２によって送信されたコーディング・ブロックとを復号することを試みる。面倒な説明を避けるために、我々は、単一のスロットを介して移動局によって送信されたベアラ・シンボルのすべてが、単一のコーディング・ブロックを構成すると仮定する。したがって、ブロック１および２（スロット１の）を介して移動局ａ１によって送信されたベアラ・シンボルは、２つのリソース・ブロックにまたがる単一のコーディング・ブロックを構成するが、リソース・ブロック４を介して移動局ａ２によって送信されたベアラ・シンボルは、単一のリソース・ブロックにまたがるもう１つのコーディング・ブロックを構成する。
【００３９】
そのセル内で移動局の１つによって送信されたコーディング・ブロックを復号するために、基地局受信器（たとえば、フォーマッタ７２０およびＭＲＣ／ＭＭＳＥ処理ユニット７７０を参照されたい）は、まず、対応する受信信号ベクトル（１つまたは複数）からソフト・シンボル（ｓｏｆｔ  ｓｙｍｂｏｌ）のベクトルを生成する。ソフト・シンボル（時々、対数尤度比とも称する）のベクトルを、最大比合成（ＭＲＣ）または最小平均二乗誤差（ＭＭＳＥ）処理などの周知の技法を介して受信信号ベクトル（１つまたは複数）を処理することによって、受信信号ベクトル（１つまたは複数）から生成することができる。これらの技法のすべてが、前のステップで計算されたチャネル係数推定値を使用する。
【００４０】
コーディング・ブロックに関連するソフト・シンボルのベクトルは、そのコーディング・ブロックに関して使用されるＭＣＳの詳細と一緒に、そのコーディング・ブロックに対応する情報ビットの推定値を入手するために復号デバイス（たとえば、復号エンジン７８０を参照されたい）に供給される。基地局受信器は、それに接続された移動局によって送信されたコーディング・ブロックのすべてを復号することを試みる。この点で、コーディング・ブロックの一部が成功して復号される可能性があるが、一部は、対応する受信信号内の過度の雑音または干渉のゆえに失敗する可能性がある。あるコーディング・ブロックについて、復号の失敗は、復号器の出力がＣＲＣ検査に合格しないことによって示される。成功して復号されたコーディング・ブロックに関連する情報ビットは、より上のプロトコル層に渡され、その結果、これらをその最終的な宛先に転送できるようになる。それと同時に、これらのビットのコピーがローカル・バッファ（たとえば、バッファ７９０を参照されたい）内に保たれ、その結果、そのコピーを、後で説明する干渉除去のために隣接基地局に送信できるようになる。成功して復号されなかったコーディング・ブロックに関して、基地局受信器は、これらのコーディング・ブロックに関連する受信信号サンプルのベクトルをローカル・バッファ（たとえば、バッファ７３０を参照されたい）に格納する（複数の受信アンテナを有する基地局の場合に、各アンテナに関連する受信信号サンプルのベクトルがローカル・バッファに格納されることに留意されたい）。隣接基地局がこれらのサンプルへの干渉を引き起こす信号の復号に成功する場合に、干渉除去を介してこれらのサンプルを洗練することが可能である場合があると期待される。
【００４１】
次に、基地局受信器は、完了したばかりのスロットの復号状態テーブルを準備する。このテーブルは、本質的に、完了したばかりのスロット内のリソース・ブロックごとに１つのエントリを有する整数の列である。このテーブルのエントリは、次のように投入される。完了したばかりのスロット内のリソース・ブロックが、受信器自体のセル内のどの移動局によっても送信に使用されない場合には、対応するエントリに０がセットされ、そのリソース・ブロックが、成功して復号されなかったコーディング・ブロック内に含まれる場合には、そのリソース・ブロックに対応するエントリに１がセットされ、そうではない場合すなわちそのリソース・ブロックが成功して復号されたコーディング・ブロック内に含まれる場合には、そのリソース・ブロックに対応するエントリに２がセットされる。
【００４２】
直前で説明した復号プロセスが進行中である間に、完了したばかりのスロット内のリソース・ブロックごとに、基地局受信器は、そのリソース・ブロックを介して送信していた可能性がある潜在的に干渉するセルに属する移動局のチャネル係数の推定値を入手することを試みる。前に述べたように、リソース・ブロックごとに、基地局が、そのリソース・ブロックを介して送信する時に潜在的に干渉するセルのそれぞれ内の移動局によって使用される基準シンボル・シーケンスを知っていることを想起されたい。この情報を使用して、基地局受信器、たとえば基地局ｉに関連する基地局受信器は、次のようにこれらの推定値を入手することができる。ｊが、集合Ｃ（ｉ）すなわち基地局ｉの観点から潜在的に干渉するセルの集合に含まれるセルｐ内の移動局であるものとする。移動局ｊが、完了したばかりのスロット内のリソース・ブロックｋを介して送信しているものとする。リソース・ブロックｋを介して移動局ｊによって送信された基準シンボルに対応する基地局ｉのアンテナｑでの受信信号サンプルの（列）ベクトルは、ｒｊ，ｋ，ｉ，ｑ（ＲＳ）によって表され、ｓｊ，ｋは、リソース・ブロックｋを介して移動局ｊによって実際に送信された基準シンボルの（列）ベクトルを表す。前に述べたように、基地局ｉの受信器は、集合Ｃ（ｉ）に属するセル内の移動局によって使用される基準シンボル・シーケンスと、これらの基準シンボルがどのようにして送信されるのかとを知っているので、基地局ｉの受信器がベクトルｒｊ，ｋ，ｉ，ｑ（ＲＳ）およびベクトルｓｊ，ｋを構成することは、簡単であることに留意されたい。やはり、式（１）を使用して、
【００４３】
【数５】
0005528567.tif 000006
すなわち基地局ｉのアンテナｑで見られるリソース・ブロックｋを介して送信する移動局ｊのチャネル係数の推定値を得ることができる。基地局受信器の観点から、他のセル内の移動局のチャネル係数を入手するプロセスが、それ自体のセル内の移動局のチャネル係数を入手するプロセスと変わらないことに留意されたい。
【００４４】
次に、完了したばかりのスロット内のリソース・ブロックごとに、基地局受信器は、そのリソース・ブロックを介して送信する各潜在的に干渉するセル内の移動局の受信信号強度の推定値を計算する。したがって、集合Ｃ（ｉ）に含まれるセルｐについて、基地局ｉの受信器デバイスは、
【００４５】
【数６】
0005528567.tif 000007
すなわちリソース・ブロックｋを介して送信されたセルｐ内のモバイルに関連する受信信号強度の推定値を、関係
【００４６】
【数７】
0005528567.tif 000008
を使用して計算し、ここで、Ｒは、基地局ｉの受信アンテナの個数を表し、インジケータｊは、リソース・ブロックｋを介してそのデータを送信したセルｐ内の移動局の識別子を表す。上に示された推定値
【００４７】
【数８】
0005528567.tif 000009
および
【００４８】
【数９】
0005528567.tif 000010
を入手するために、基地局ｉが、移動局ｊの実際のアイデンティティを知る必要がなく、基地局ｉが知る必要があるものが、リソース・ブロックｋを介してデータを送信したセルｐ内の移動局によって使用されている基準シンボル・シーケンスだけであることに留意されたい。基地局は、リソース・ブロック（式（２）でインデックスｋによって表される）ごとに、および潜在的に干渉するセルの集合に含まれるセル（式（２）でインデックスｐによって表される）ごとに、上のプロセス（受信信号強度の推定値を計算する）を繰り返す。
【００４９】
その後、基地局受信器（基地局ｉに対応する）は、集合Ｃ（ｉ）に含まれるセルに関する「復号済みデータの要求（Ｒｅｑｕｅｓｔ  ｆｏｒ  Ｄｅｃｏｄｅｄ  Ｄａｔａ）」メッセージ（単に要求メッセージとも称する）を準備する。各要求メッセージは、起点セル（すなわち、基地局）識別子、宛先セル識別子、スロット・インデックス・フィールド、およびスロット内のリソース・ブロックごとに１エントリのＮＲ個のエントリを有するビットマップというフィールドを含む。最初の２つのフィールドの意味は明らかである。第３のフィールドすなわちスロット・インデックスは、その受信信号が処理されつつあるスロットの識別子を含む。したがって、この実施形態によれば、基地局ｉに関連する受信器デバイスは、集合Ｃ（ｉ）に含まれるセルｐ向けの要求メッセージを準備する時に、スロット・インデックス・フィールドに、関連するスロットの識別子を充てんする。ビットマップのエントリは、次のように充てんされる。リソース・ブロックｋについて、
【００５０】
【数１０】
0005528567.tif 000011
すなわちリソース・ブロックｋを介して送信するセルｐ内の移動局からの受信信号強度の推定値が、許容可能なしきい値Ｔ１を超え、完了したばかりのスロットに関連する復号状態テーブル内のリソース・ブロックｋに対応するエントリが１である場合には、要求メッセージ内のリソース・ブロックｋのビットマップ・エントリに１がセットされ、そうでない場合には、そのエントリに０がセットされる。
【００５１】
ここでの発想は、すべてのリソース・ブロックについて、基地局が、対応する受信信号強度が低すぎず（基地局の受信器で見られる時に）、リソース・ブロックに関連するデータがまだ復号されていない場合に限って、干渉除去のために信号を要求しなければならないということである。これらの条件を課す理由は、次の通りである。明らかに、リソース・ブロックに関連するデータが既に復号されている場合には、干渉除去または任意の他の方法を介して対応する信号をさらに処理する必要はない。基地局受信器で弱いことがわかった信号を要求しない理由は、受信信号強度が低い時に、チャネル係数の対応する推定値が、どちらかといえば雑音が多い可能性が高いことである。その結果、これらの信号を（雑音が多いチャネル推定値と組み合わせて）使用する干渉除去の試みは、復号されつつある信号の信号対雑音比（ＳＮＲ）の大きい改善につながる可能性が低い。そのような信号を隣接する基地局に要求しないことによって、我々は、バックホール・リンクに対する負荷を減らし、これは、本発明のさまざまな実施形態の目的の１つである。
【００５２】
本発明のもう１つの実施形態では、追加のフィールドが、復号されたデータの最大長を示す。メッセージの所期の受信側は、対応するビットマップ・フィールド内に１を見る場合に、その復号されたデータを共有しなければならないかどうかを判定するために、復号されたデータの長さをそのフィールドで示された値とさらに比較する。最大長フィールドは、改善されたチャネル品質に伴って最大値が増え、逆も同様になるように、チャネル品質の関数として変化することができる。この形で、過剰なバックホールが、比較的低いチャネル皮質（従って、限られた干渉除去利益）を有するリンクで浪費されなくなる。
【００５３】
基地局ｉに関連する受信器デバイスは、上で説明したＣ（ｉ）に含まれるセルごとに要求メッセージを準備し、これを対応する基地局に送信する。潜在的に干渉するセルに関する要求メッセージを準備する間に、基地局が、そのメッセージに含まれるビットマップ内のすべてのエントリが０であることを見出す場合には、基地局は、メッセージをそのセルに送信しない。これも、バックホール・リンク上の不必要なトラフィックならびに処理能力の浪費を減らすのを助ける。
【００５４】
スロットごとに、基地局ｉは、要求テーブルをも維持する。このテーブルは、２次元整数配列を含み、基地局ｉがＣ（ｐ）に含まれるように、セルｐごとに１つの列を有する。すなわち、基地局（すなわち、セル）ｉがセルｐについて潜在的に干渉するセルである場合には、セルｉによって維持される要求テーブルは、セルｐに関連する列を有する。このテーブルの各列は、関連するスロット内のリソース・ブロックごとに１つの、ＮＲ個のエントリを有する。スロットの終りに、基地局受信器は、そのスロットを介して受信された信号サンプルを処理し始める時に、そのスロットの要求テーブルを作成し、そのテーブルの各列のすべてのエントリに０をセットすることによってそのテーブルを初期化する（このテーブルの列の個数ならびに特定のセルとの列の関連が、静的であることに留意されたい）。
【００５５】
基地局受信器は、ここで、待機状態に入る。この待機状態では、基地局受信器は、通常、２種類のメッセージすなわち、１．干渉除去に使用できる復号されたデータを要求する隣接するセルからの要求メッセージおよび２．復号されたデータを搬送する隣接するセルからのメッセージを受信する。我々は、後者を復号済みデータ・メッセージと称する（異なる基地局での処理が、同期式の形では行われないことに留意されたい。その結果、ある基地局が、前に説明した処理を終了し、待機状態に入る前であっても、別の基地局から要求メッセージを受信することが可能である。次では、両方の場合すなわち、待機状態に入る前および待機状態に入った後に基地局がこれらのメッセージの受信時にどのように働くのかを説明する）。
【００５６】
基地局、たとえばｉは、基地局ｐから要求メッセージを受信する時に、後者がそのメッセージ内で示されるスロット内のリソース・ブロックの一部に関する復号されたデータを探していることを知る。具体的には、基地局ｐからの要求メッセージ内のリソース・ブロックｋに対応するエントリが１と等しい場合に、これは、基地局ｐがリソース・ブロックｋの復号されたデータを探していることを意味する。したがって、基地局ｉは、要求されたデータを既に復号している場合に、いくつかの事例ではその復号されたデータの長さに基づいて、要求されたデータを基地局ｐに送信する。リソース・ブロックは、必ずしもコーディング・ブロックに１対１の形でマッピングされるのではないので、基地局ｉは、次の形で基地局ｐからの要求メッセージに応答する。
【００５７】
基地局ｉがまだ待機状態に入っていない第１の事例を検討されたい。この事例では、基地局ｐからの要求メッセージに含まれるビットマップを使用して、基地局ｉは、次のように基地局ｐに対応するそれ自体の要求テーブルの列を更新する。要求テーブルの列（基地局ｐに対応する）内のリソース・ブロックに関連するエントリが２と等しい場合には、未変更のままにし、そうでない場合には、ビットマップ内の対応するエントリと等しくなるようにセットする。要求テーブルの適当な列のエントリを更新した後に、基地局ｉは、要求メッセージの到着によって割り込まれる前にかかわっていた処理を継続する。
【００５８】
第２の事例すなわち、基地局ｐからの要求メッセージが、基地局ｉが待機状態である間に基地局ｉに到着する場合には、基地局ｉは、直前で説明した形で要求テーブルの適当な列のエントリを更新し、基地局ｐに送信される復号済みデータ・メッセージを準備する。我々は、基地局ｉがこのメッセージをどのようにして構成するのかを、実例となる例を使用して説明する。そのために、図５に示された例を検討されたい。
【００５９】
図５に示された例では、各スロットは、６つのリソース・ブロックを含む。関心を持たれているスロット内で、基地局ｉに接続された移動局は、一方はリソース・ブロック１および２にまたがり、他方はリソース・ブロック４、５、および６にまたがる２つのコーディング・ブロックを送信した。リソース・ブロック３は、基地局ｉに接続されたどの移動局によっても使用されなかった。同一のスロットを介して、基地局ｐに接続された移動局も、一方はリソース・ブロック２および３にまたがり、他方はリソース・ブロック５および６にまたがる２つのコーディング・ブロックを送信した。ここで、関心を持たれているスロットの最後の復号の第１ラウンドの終りに、基地局ｉがリソース・ブロック１および２にまたがるコーディング・ブロックの復号に成功したが、他のコーディング・ブロックの復号が失敗したと仮定する。また、基地局ｐが、そのコーディング・ブロックのすべての成功の復号に失敗したと仮定する。
【００６０】
図５１０は、復号の第１ラウンドの後の基地局ｉの復号状態テーブルの状態を示す。明らかに、リソース・ブロック１および２にまたがるコーディング・ブロックだけがその段階で成功して復号されたので、リソース・ブロック１および２に対応するエントリは、２と等しい。リソース・ブロック４、５、および６に対応するエントリは、対応するコーディング・ブロックが成功して復号されなかったので１と等しい。リソース・ブロック３に対応するエントリは、そのブロックが対応するスロットを介する送信のためにセルｉ内のどの移動局によっても使用されなかったので、０と等しい。
【００６１】
図５２０は、基地局ｐから基地局ｉによって受信された要求メッセージに含まれるビットマップを示す。基地局ｐは、関連するスロットを介して送信されたコーディング・ブロックのいずれをも復号できなかったので、基地局ｐに接続されたモバイルによってそのデータを送信するのに使用されたすべてのリソース・ブロックに対応するエントリは、１と等しい。０であるエントリだけが、未使用リソース・ブロック（セルｐ内の）に対応するエントリである。
【００６２】
図５３０は、基地局ｉが基地局ｐから要求メッセージを受信した直後の基地局ｐに対応する基地局ｉの要求テーブルの列を示す。これまでに基地局ｐにコーディング・ブロックが送信されていないので、基地局ｉが、さらに進行する前に、単に基地局ｐから受信した要求メッセージに含まれるビットマップをその要求テーブルの適当な列にコピーしたので、この図が５２０と同一であることがわかる。
【００６３】
その後、基地局ｉは、基地局ｐに送信される復号されたデータ・メッセージに含めるべきすべてのコーディング・ブロックを識別する。復号済みデータ・メッセージに含まれるために、コーディング・ブロックは、３つの判断基準すなわち、１）基地局ｐによって要求された少なくとも１つのリソース・ブロックを含まなければならない、２）基地局ｉによって成功して復号されていなければならない、および３）以前に基地局ｐに配信されたものであることはできない、を満足する必要がある。基地局ｉは、次の手順を使用して、そのようなコーディング・ブロックを識別する。基地局ｉは、その復号状態テーブル（５１０）を、基地局ｐに対応する要求テーブル（５３０）の列と比較し、対応するエントリが復号状態テーブル（５１０）内で「２」と等しく、要求テーブル（５３０）の適当な列内で「１」と等しいリソース・ブロック・インデックスを探す。検討中の例では、この要件を満足する唯一のリソース・ブロックは、リソース・ブロック・インデックス２に対応する。基地局ｉは、このリソース・ブロックが、リソース・ブロック・インデックス１および２にまたがるコーディング・ブロックの一部であったという事実を知っているので、基地局ｐに送信される復号済みデータ・メッセージにそのコーディング・ブロックを含めると判断する。
【００６４】
したがって、基地局ｉは、リソース・ブロック１および２にまたがったコーディング・ブロックに関連する情報ビットをその中に含む復号済みデータ・メッセージを準備し、この情報ビットは、バックホール・リンク上で送信されるデータの量を最小にするために圧縮され得る。基地局ｉは、コーディング・ブロックの関連する詳細（たとえば、使用されたＭＣＳの詳細）ならびにそれ自体の識別子および基地局ｐの識別子をもこのメッセージの適当なフィールドに含め、このメッセージを適当なインターフェースを介して基地局ｐに送信する。メッセージを基地局ｐに送信した後に、基地局ｉは、次のように、基地局ｐに対応する要求テーブル（５４０）の列内のエントリを更新する。送信されたばかりの復号済みデータ・メッセージに含まれるコーディング・ブロックごとに、そのコーディング・ブロックに含まれる各リソース・ブロックに対応するエントリに２をセットし、残りのエントリを変更されないままにする。
【００６５】
要求メッセージが「待機」状態の基地局ｉによって受信される時には必ず、復号済みデータ・メッセージを生成するために、上の手順に従う。また、復号の各ラウンドを完了した後に、基地局ｉは、復号されたデータに関する満足されないまたは部分的に満足された要求を有する基地局のうちの１つまたは複数に追加の復号されたデータを送信できるかどうかを知るために、その要求テーブルのすべての列の状況およびその復号状態テーブルの更新された状態をチェックする（これは、基地局受信器がそれ自体のコーディング・ブロックの復号でビジーであった間に受信された要求メッセージに応答するために行われる）。やはり、コーディング・ブロックがある場合に、これらの基地局に送信する必要があるコーディング・ブロックを識別するために、上で説明した手順に従う。
【００６６】
基地局が待機状態で受信する可能性がある他のタイプのメッセージは、過去のある時点でその基地局が要求メッセージを送信した基地局からの復号済みデータ・メッセージである。基地局、たとえば基地局ｉは、別の基地局（たとえば、ｐ）から復号済みデータ・メッセージを受信する時に、そのメッセージを復号済みデータ・バッファと称するローカル・バッファ（たとえば、バッファ７４０を参照されたい）に保存し、待機状態に戻る。本明細書で説明される本発明の実施形態では、しばらくの間待機状態に留まることによって、基地局ｉが、干渉除去および復号を試みる前に、複数の潜在的な干渉源に関連する復号されたデータを収集することを試みる。この手法は、成功に出会う前に基地局受信器が試みる復号の回数を節約する。
【００６７】
代替実施形態では、基地局ｉは、潜在的な干渉源をそのそれぞれのチャネル推定値に基づいて最強から最弱まで順序付け、その順番で一時に１つずつ対応する基地局に要求メッセージを送信することができる。要求メッセージの各そのような送信の後に、基地局ｉは、対応する復号されたデータを受信するためにある長さの時間だけ待つことができる。復号されたデータがその時間中に受信される場合には、基地局ｉは、干渉除去（受信されたばかりの復号されたデータを使用する）を即座に試み、これに復号の試みが続く。基地局ｉは、復号の試みが不成功の場合または基地局ｉが待機期間の終りの前に復号されたデータを受信しなかった場合に限って、次に強い干渉源に対応する基地局に要求メッセージを送信する。これらの実施形態は、少数の追加の復号の試みを犠牲にして、バックホール負荷を減らすことを試みる。
【００６８】
基地局ｉは、待機状態から出る（復号タイマと称するタイマの満了時など）時に、干渉除去のラウンドを開始し、これに、復号の前のラウンドの終りに未復号状態で残されたコーディング・ブロックのすべてを復号する試みが続く。
【００６９】
基地局（たとえば、ｉ）が、復号が続く干渉除去のラウンドをどのように実行するのかを検討されたい。基地局ｉは、スロットごとに「除去テーブル」を維持する。この除去テーブルは、スロット内のリソース・ブロックと同数の行と、セルｉの観点からの潜在的に干渉するセルと同数（すなわち、集合Ｃ（ｉ）に含まれるセルごとに１つ）の列とを有する。あるスロットに関連する除去テーブルは、スロットの終りで、そのスロットの復号の第１ラウンドが始まる時に初期化される（すべてのエントリに０をセットすることによって）。このテーブル内のエントリが１と等しい場合には、これは、対応するリソース・ブロックが干渉除去に使用されたことを意味する（逆に、あるエントリが０と等しい場合には、これは、対応するリソース・ブロックがまだ干渉除去に使用されていないことを意味する）。コーディング・ブロックは、復号の単位として使用され、異なるセル内の移動局によって送信されたコーディング・ブロックは、必ずしも正確に整列しないので、基地局ｉは、下で説明するように干渉除去を実行する。
【００７０】
基地局受信器が、復号の前のラウンドの終りに、成功して復号されなかったすべてのコーディング・ブロックの受信信号サンプルを格納したことを想起されたい。復号の前のラウンドの終り以降に受信された（復号済みデータ・バッファに格納された）復号されたデータ（他の基地局からの）を使用して、基地局受信器は、これらの未復号コーディング・ブロックのそれぞれから干渉を除去することを試みる。次の例は、この干渉除去がどのように実行されるのかを示す。
【００７１】
図６によって示される例を検討されたい。表６１０に示されているように、基地局ｉは、干渉除去および復号のこの（新しい）ラウンドの始めに、一方はリソース・ブロック２、３、および４にまたがり、他方は単一のリソース・ブロック６にまたがる２つの未復号コーディング・ブロックを有する。基地局ｉは、その復号済みデータ・バッファ内に、表６２０および６３０に示されているように、基地局ｐから受信された２つおよび基地局ｒから受信された１つの、３つのコーディング・ブロックをも有する。さらに進む前に、基地局ｉは、その除去テーブルをルック・アップして、復号済みデータ・バッファ内のコーディング・ブロックのいずれかが干渉除去に既に使用されたかどうかをチェックする。あるコーディング・ブロックが、干渉除去に既に使用されたことがわかる（除去テーブル内の対応するエントリ内の「１」の存在によって示される）場合には、そのブロックは、復号済みデータ・テーブルから破棄される。基地局ｐからの２つのブロックおよび基地局ｒからの１つのブロックが、まだ干渉除去に使用されておらず、したがって、これらの３つすべてが、干渉除去に適格であると仮定する。
【００７２】
干渉除去は、各未復号コーディング・ブロック（基地局ｉの）に対して別々に実行される。それがどのようにして行われるのかを示すために、ブロック２、３、および４にまたがるコーディング・ブロックを検討されたい。このコーディング・ブロックをＡと称するものとする。図６からわかるように、復号済みデータ・バッファ内の３つすべてのコーディング・ブロック（α、β、およびγのラベルを付す）は、少なくともコーディング・ブロックＡとの部分的オーバーラップを有する。したがって、この３つのすべてが、コーディング・ブロックＡに対する干渉除去に用いられる。コーディング・ブロックＡに対する干渉除去を実行するために、我々は、そのコーディング・ブロックに関連する受信信号サンプルのベクトルから始める。このベクトルは、ｒ（Ａ）と称するが、３つのリソース・ブロックすなわち２、３、および４にまたがる（コーディング・ブロックＡが前のラウンド中に復号プロセスに失敗したので、このベクトルが基地局によって格納されたことを想起されたい）。次に、我々は、コーディング・ブロックα、β、およびγによって引き起こされた干渉をベクトルｒ（Ａ）から除去することを試みる。ここで、コーディング・ブロックに起因する干渉を除去するために、そのコーディング・ブロックに帰することのできる受信信号の推定値を構成する（干渉信号リコンストラクタ７５０を参照されたい）。したがって、たとえば、コーディング・ブロックαの影響を除去するために、基地局ｉは、次を行う。コーディング・ブロックαの送信で使用されたＭＣＳの詳細（コーディング・ブロックαに関連する情報ビットがその中で基地局ｉに送信された復号済みデータ・メッセージに含まれた）を使用して、基地局ｉは、コーディング・ブロックαに関連するコーディングされたシンボル（おそらくは、ＳＣ−ＦＭＤＡシステムの場合のＤＦＴなどのシステム固有動作を介してインターリーブされ、かつ／または処理された）のベクトルを再構成する。次に、コーディング・ブロックα内のリソース・ブロックごとに、基地局は、チャネル係数の対応する推定値（以前に計算された）を使用して、コーディング・ブロックαに帰することのできる受信信号値の推定値を構成する。次では、基地局受信器がコーディング・ブロックαに帰することのできる受信信号値の推定値をどのようにして構成するのかを説明する。
【００７３】
ｘ（α）が、コーディング・ブロックαに関連するコーディングされたシンボルのベクトルを表すものとする。明らかに、ｘ（α）は、リソース・ブロック１および２にまたがる。ｘ（α）（１）およびｘ（α）（２）が、それぞれリソース・ブロック１および２へのｘ（α）の制限を表すものとする（すなわち、ｘ（α）（１）は、ｘ（α）のうちでリソース・ブロック１にまたがる部分であり、ｘ（α）（２）は、リソース・ブロック２にまたがる部分である）。
【００７４】
【数１１】
0005528567.tif 000012
および
【００７５】
【数１２】
0005528567.tif 000013
が、それぞれ、コーディング・ブロックαを送信した移動局と基地局ｉとの間のチャネルのリソース・ブロック１および２に対応するチャネル係数の推定値を表すものとする。すると、コーディング・ブロックに帰することのできる受信信号値の推定値のベクトルを、
【００７６】
【数１３】
0005528567.tif 000014
として記述することができ、ここで、記号「｜」は、２つのベクトル
【００７７】
【数１４】
0005528567.tif 000015
【００７８】
【数１５】
0005528567.tif 000016
の連結を表す。ここで、ベクトル
【００７９】
【数１６】
0005528567.tif 000017
の第２部分すなわち
【００８０】
【数１７】
0005528567.tif 000018
だけが、コーディング・ブロックＡとオーバーラップする。さらに、コーディング・ブロックＡは、リソース・ブロック２、３、および４にわたって延び、このリソース・ブロックの後者の２つは、コーディング・ブロックαからの干渉がない。その結果、
【００８１】
【数１８】
0005528567.tif 000019
のうちでコーディング・ブロックＡとオーバーラップする部分に適切な長さのすべて０のベクトルを追加することによって、基地局受信器は、
【００８２】
【数１９】
0005528567.tif 000020
によって与えられる除去ベクトルｖ（α）を構成し、ここで、「０」は、適切な長さのすべて０のベクトルを表す（この場合に、式（４）内の２つのすべて０のベクトルは、それぞれリソース・ブロック３および４にわたって延びる）。除去ベクトルｖ（α）が、コーディング・ブロックＡと同様に正確にリソース・ブロック２、３、および４にわたって延びることに留意されたい。チャネル係数の推定値
【００８３】
【数２０】
0005528567.tif 000021
が完全ではない（雑音および干渉の存在のゆえに）ので、雑音および干渉の影響を抑制するために、適切なデエンファシス係数η（α）（２）を使用することができる。一般に、デエンファシス係数は、チャネル推定値に関連する信号対干渉雑音比（ＳＩＮＲ）の単調関数であり、より大きいＳＩＮＲ値について１の限度に近付く。デエンファシス係数が使用される場合に、除去ベクトルは、次の形をとる。
【００８４】
【数２１】
0005528567.tif 000022
類似する形で、基地局受信器は、コーディング・ブロックＡとオーバーラップする他の２つのコーディング・ブロック（βおよびγ）にそれぞれ関連する除去ベクトルｖ（β）およびｖ（γ）を計算する。
【００８５】
その後、基地局受信器は、ｒ（Ａ）すなわちコーディング・ブロックＡに関連する受信されたサンプルのベクトルから、コーディング・ブロックα、β、およびγによって引き起こされた干渉を除去する（たとえば、干渉除去エンジン７６０を参照されたい）。
ｒ（Ａ）←ｒ（Ａ）−（ｖ（α）＋ｖ（β）＋ｖ（γ））    （６）
我々は、上のベクトルを、コーディング・ブロックＡに関連する受信信号サンプルの除去後ベクトルと称する（基地局が複数の受信アンテナを有する場合に、基地局が、受信アンテナのそれぞれについて受信信号サンプルのそのような除去後ベクトルを入手することに留意されたい）。
【００８６】
次に、基地局受信器は、コーディング・ブロックＡに関連するソフト・シンボルのベクトルを入手するために、多数の主知の技法（たとえば、ＭＭＳＥ、ＭＲＣなど）のうちの任意の１つを介して、受信された信号の除去後ベクトルを処理する（たとえば、ＭＲＣ／ＭＭＳＥ処理ユニット７７０を参照されたい）。その後、ソフト・シンボルのベクトルは、そのコーディング・ブロックに使用されたＭＣＳの詳細と一緒に、復号デバイス（たとえば、復号エンジン７８０を参照されたい）に供給されて、コーディング・ブロックＡに対応する情報ビットの推定値が入手される。この２つのステップすなわちソフト・シンボルのベクトルの入手およびその復号は、復号の前のラウンドで受信器によって実行された対応するステップと同一である。唯一の相違は、復号の前のラウンドで、受信器が、コーディング・ブロックに関連する受信信号サンプルの元のベクトルを使用したが、復号の現在のラウンドで、受信信号サンプルの除去後ベクトルが使用されることである。後者は、改善されたＳＩＮＲを有する（干渉する信号の少なくとも一部の除去のゆえに）ので、成功して復号される可能性が高い。
【００８７】
やはり、受信器がコーディング・ブロックＡの復号を試みる時には、２つの可能な結果すなわち１）復号が成功である、および２）復号が失敗する、がある。基地局受信器は、コーディング・ブロックの復号に成功する場合に、コーディング・ブロックに関連する情報ビットを、これらを宛先に転送するためにより上のプロトコル層に渡し、他の基地局に送信しなければならない可能性がある復号済みデータ・メッセージに含めるためにこれらのビット（および関連するＭＣＳの詳細）のコピーを保存し（たとえば、バッファ７９０を参照されたい）、コーディング・ブロックに関連するリソース・ブロックに対応する復号状態テーブル内のエントリを更新する（最後のステップは、これらのエントリに２をセットすることを含む）。その一方で、復号が失敗する場合には、受信器は、受信信号サンプルの元のベクトル（１つまたは複数）の代わりに、コーディング・ブロックに関連する受信信号サンプルの除去後ベクトル（１つまたは複数）を単純に格納する（たとえば、バッファ７３０を参照されたい）（除去後ベクトル（１つまたは複数）は、ローカル・バッファ内の受信信号サンプルの以前に格納されたベクトル（１つまたは複数）を置換する）。
【００８８】
上のステップ（干渉除去、復号、および復号後処理の）は、復号の前のラウンドで成功して復号されなかったすべてのコーディング・ブロックについて繰り返される。復号の現在のラウンドの終りに、潜在的に干渉するセルのそれぞれについて、基地局受信器は、新しいメッセージ内で、リソース・ブロックが、復号の現在のラウンドの後であっても成功して復号されていないコーディング・ブロックに属する場合に限って、そのリソース・ブロックに対応するビットマップ・エントリが１であることを除いて、前と正確に同一の新しい要求メッセージを準備する。ビットマップ・エントリの残りは、すべて０と等しい。基地局受信器は、これらの要求メッセージを対応する基地局に送信し、待機状態に入る。復号のこのラウンドの後に送信される要求メッセージが、このラウンドで成功して復号されたコーディング・ブロックについて潜在的に干渉するセルに関連する基地局に知らせることに留意されたい。これは、それらの基地局が、もはや必要ではない（干渉除去のために）復号されたデータを送信するのを避けるのを助ける。
【００８９】
やはり、前に説明したように、基地局受信器は、待機状態中に復号済みデータ・メッセージおよび要求メッセージを受信する（それ自体のコーディング・ブロックを復号してビジーである間であってもこれらのメッセージを受信することができる）。基地局受信器は、前に説明したようにこれらのメッセージに応答する。待機状態の終りに、基地局受信器は、復号の前のラウンド中に成功して復号されなかったコーディング・ブロックに対する復号の新しいラウンドを試みる。このサイクル全体が、すべてのコーディング・ブロックが成功して復号されるか、サイクル数が以前に決定された上限に達するかのいずれかになるまで、２〜３回繰り返される。この点で、受信器は、スロットに関連するすべてのデータ、テーブル、バッファなどをクリアし、成功して復号できなかったコーディング・ブロックについてより上の層に知らせ、したがって、検討されるスロットに関連する物理層処理のすべてを終了する。
【００９０】
上の説明は、特定の移動局の送信がその主基地局で復号されると仮定するが、この日和見主義的ネットワーク干渉除去方法を、複数のサービング基地局が移動局の送信の復号を試みる事例に一般化することは、単純である。これらの複数の基地局のいずれかが移動局の送信を復号するのに成功する場合に、復号された情報を、直接にまたは主サービング基地局を介してのいずれかでより上の層に転送することができる。さらに、情報が基地局によって復号された後に、残りのサービング基地局は、既に復号された情報のさらなる復号の試みをすべて停止するように通知され、その後、移動局の送信は、肯定応答される。
【００９１】
詳細に説明され、時々非常に固有である、上の説明は、当業者が、当技術分野で既に知られているものを考慮して本発明を作り、使用し、最もよく実践することを効果的に可能にするために提供されるものである。例では、詳細は、本発明の可能な実施形態を例示するために提供され、より広い発明的概念の範囲を制限しまたは限定すると解釈されてはならない。
【００９２】
図８は、本発明のさまざまな実施形態に従って実行される機能性の論理流れ図である。図８００は、上で詳細に説明した実施形態の多くのよい一般化として働く。したがって、図８００は、ここで、本発明の多数の実施形態が従うネットワーク干渉除去への一般的手法の要約を提供するために参照される。図８００では、受信器が、無線デバイス送信および少なくとも１つの干渉する送信からのシグナリングを含む受信信号の復号を試みる（８０１）。受信器が受信信号の復号の試みに成功しない場合に、干渉する送信に対応する復号されたシグナリングを要求する（８０２）。その後、受信器は、受信信号を復号するために復号されたシグナリングを使用する（８０３）。
【００９３】
利益、他の長所、および問題に対する解決策を、本発明の特定の実施形態に関して上で説明した。しかし、利益、長所、問題に対する解決策、およびそのような利益、長所、または問題に対する解決策を引き起こすかもたらし、あるいはそのような利益、長所、または問題に対する解決策をより明白にならせるすべての要素（１つまたは複数）が、いずれかまたはすべての請求項のクリティカルな、要求される、または本質的な特徴または要素であるものと解釈してはならない。
【００９４】
本明細書および添付の特許請求の範囲で使用される時に、用語「ｃｏｍｐｒｉｓｅｓ（含む）」、「ｃｏｍｐｒｉｓｉｎｇ（含む）」、またはそのすべての他の語尾変化は、排他的ではない包含を指すことが意図され、要素のリストを含む（ｃｏｍｐｒｉｓｅｓ）プロセス、方法、製造品、または装置が、リスト内の要素だけを含むのではなく、明示的にリストされないかそのようなプロセス、方法、製造品、または装置に固有ではない他の要素を含むことができるようになっている。用語ａまたはａｎは、本明細書で使用される時に、１つまたは複数と定義される。用語複数は、本明細書で使用される時に、２つ以上と定義される。用語もう１つは、本明細書で使用される時に、少なくとも第２またはそれ以降と定義される。本明細書でそうではないと示されない限り、第１および第２、最上部および最下部、ならびに類似物などの関係語がある場合に、その関係語の使用は、必ずしもエンティティまたはアクションの間の実際の関係または順序を要求しまたは暗示することなく、あるエンティティまたはアクションを別のエンティティまたはアクションから区別するためにのみ使用される。
【００９５】
用語ｉｎｃｌｕｄｉｎｇ（含む）および／またはｈａｖｉｎｇ（有する）は、本明細書で使用される時に、ｃｏｍｐｒｉｓｉｎｇと定義される（すなわち、オープン・ランゲージ）。用語ｃｏｕｐｌｅｄ（結合された）は、本明細書で使用される時に、必ずしも直接ではなく、必ずしも機械的ではないが、ｃｏｎｎｅｃｔｅｄ（接続された）と定義される。単語「ｉｎｄｉｃａｔｉｎｇ（示す、指示する）から派生する用語法（たとえば、「ｉｎｄｉｃａｔｅｓ」および「ｉｎｄｉｃａｔｉｏｎ」）は、示される（ｉｎｄｉｃａｔｅｄ）物体／情報を通信しまたは参照するのに使用可能なすべてのさまざまな技法を含むことが意図されている。示される物体／情報を通信しまたは参照するのに使用可能な技法の、すべてではないがいくつかの例は、示される物体／情報の伝達、示される物体／情報の識別子の伝達、示される物体／情報を生成するのに使用される情報の伝達、示される物体／情報のある一部または部分の伝達、示される物体／情報のある派生物の伝達、および示される物体／情報のある記号表現の伝達を含む。用語プログラム、コンピュータ・プログラム、およびコンピュータ命令は、本明細書で使用される時に、コンピュータ・システム上での実行のために設計された命令のシーケンスと定義される。命令のこのシーケンスは、サブルーチン、関数、手続き、オブジェクト・メソッド、オブジェクト実装、実行可能アプリケーション、アプレット、サーブレット、共有ライブラリ／ダイナミック・ロード・ライブラリ、ソース・コード、オブジェクト、コード、および／またはアセンブリ・コードを含むことができるが、これらに限定されない。
【図１】
0005528567.tif 000023
【図２】
0005528567.tif 000024
【図３】
0005528567.tif 000025
【図４】
0005528567.tif 000026
【図５】
0005528567.tif 000027
【図６】
0005528567.tif 000028
【図７】
0005528567.tif 000029
【図８】
0005528567.tif 000030